(57)【要約】【課題】既設枠に対して改修枠を正確にかつ強固に装着できる改修建具を提供する。【解決手段】躯体開口部に残存する既設枠に、改修枠を取付補助材を介して装着し、取付補助材は、既設枠に固定される固定部と、取付補助材の室内側に設けられる室内側取付部と、取付補助材の室外側に設けられる室外側取付部と、を有し、改修枠は、見込み方向中央付近において取付補助材の室外側取付部に固定され、見込み方向室内側において取付補助材の室内側取付部に固定される。【選択図】  図３
2019203335.tif 000002
【特許請求の範囲】
【請求項１】
躯体開口部に残存する既設枠に取付補助材を介して装着される新設枠を備え、
取付補助材は、既設枠に固定される固定部と、取付補助材の室内側に設けられる室内側取付部と、取付補助材の室外側に設けられる室外側取付部と、を有し、
新設枠は、見込み方向室内側において取付補助材の室内側取付部に固定され、見込み方向中央付近において取付補助材の室外側取付部に固定され、
新設枠の見込み方向室内側と取付補助材の室内側取付部との固定部分は、内部カバーにより覆われている改修建具。
【発明の詳細な説明】
【技術分野】
【０００１】
本発明は、建物開口部に残存する既設枠の内周に配置される改修建具に関する。
【背景技術】
【０００２】
建物開口部に残存する既設枠の内周に配置される改修建具が公知となっている。
【先行技術文献】
【特許文献】
【０００３】
【特許文献１】特開２００７−２３５６５号公報
【発明の概要】
【発明が解決しようとする課題】
【０００４】
上記特許文献１に記載された改修建具は、既設下枠の室内外略全域に亘って配置されるアタッチメントによって装着されているので、経年変形した既設下枠に対してアタッチメントを正確に固定することが難しく、また、既設下枠毎に製造する必要があった。
【０００５】
本発明は、上記の事情を鑑み、既設枠に対して改修枠を正確にかつ強固に装着できる改修建具を提供することを目的とする。
【課題を解決するための手段】
【０００６】
本発明の一実施形態は、躯体開口部に残存する既設枠に取付補助材を介して装着される改修枠を備え、取付補助材は、既設枠に固定される固定部と、取付補助材の室内側に設けられる室内側取付部と、取付補助材の室外側に設けられる室外側取付部と、を有し、改修枠は、見込み方向室内側において取付補助材の室内側取付部に固定され、見込み方向中央付近において取付補助材の室外側取付部に固定され、改修枠の見込み方向室内側と取付補助材の室内側改修枠取付部との固定部分は、内部カバーにより覆われている改修建具である。
【発明の効果】
【０００７】
本実施形態の改修建具の構成により、既設枠に対して改修枠を正確にかつ強固に装着することができる。
【図面の簡単な説明】
【０００８】
【図１】本発明の一実施形態に係る改修建具の竪断面図である。
【図２】本発明の一実施形態に係る改修建具の横断面図である。
【図３】本発明の一実施形態に係る改修建具の上枠部分の竪断面図である。
【図４】本発明の一実施形態に係る改修建具の竪枠部分の竪断面図である。
【発明を実施するための形態】
【０００９】
本発明の一実施形態の改修建具として、図面に示すように、既設の引違い建具の既設枠１の内周に、内、外障子４，５を引違い自在に有する新設建具を装着してなる改修建具を用いて説明する。
【００１０】
（全体の構成）
本実施形態の改修建具は、図１、図２に示すように、既設上枠１１，既設下枠１２，左右の既設竪枠１３，１４からなる既設枠１を除去せずに、既設枠１の内周に新設上枠２１，新設下枠２２，左右の新設竪枠２３，２４からなる新設枠２が配置されている。なお、残存する既設枠１は、例えば図１に示す既設下枠１２の室外側下レールが切除されているように、必要に応じて新設枠２を配置するに際して邪魔となる部位が切除されていてもよい。
【００１１】
そして、各既設枠１の内周に新設枠２を配置するに際して、既設上枠１１，既設下枠１２，左右の既設竪枠１３，１４のそれぞれに取付補助材３１ないし取付補助材３４が固定され、新設枠２は取付補助材３を介して既設枠１に装着されている。
【００１２】
（上枠部分の構成）
既設上枠１１に固定される上取付補助材３１は、見込寸法が新設上枠２１の見込寸法よりも小さく新設上枠２１の長手方向に延びる長尺部材からなり、既設上枠１１に固定される固定部３１ａと新設上枠２１を固定する室内側取付部３１ｂ，室外側取付部３１ｃを有している。
そして、室内側取付部３１ｂ，室外側取付部３１ｃが水平となるように室内側取付部３１ｂ，室外側取付部３１ｃの外周側面を既設上枠１１の室内側壁１１ａ、室外側上レール１１ｃの下端に当接させた状態で、固定部３１ａが既設上枠１１にビス等の固定手段ｂ１により固定されている。
【００１３】
新設上枠２１は、既設上枠１１よりも見込寸法が大きく形成されており、見込み方向の室内側位置と略中央付近において、スペーサー６１を介してビス等の固定手段ｂ２により上取付補助材３１の室内側取付部３１ｂ，室外側取付部３１ｃに固定されている。
【００１４】
新設上枠２１は、室外側外周に気密材を有しており、上取付補助材３１を介して既設上枠１１に固定された新設上枠２１の気密材が既設上枠１１の室外側内周に当接して、既設上枠１１と新設上枠２１との室外側における気密を行っている。
また、新設上枠２１の室内側及び既設上枠１１の室内側を覆うように、アルミニウム合金等の金属製の内部カバー７１が配置されている。
【００１５】
（下枠部分の構成）
既設下枠１２に固定される下取付補助材３２は、室内側取付補助材３２１と室外側取付補助材３２２の二つの部材からなる。
室内側取付補助材３２１は、新設下枠２２の室内側の荷重を支持する支持部３２１ａを有し、既設下枠１２の室内側の壁面にビス等の固定手段ｂ３により固定されている。また、室内側取付補助材３２１の支持部３２１ａは、既設下枠１２の室内側下レールに固定された硬質樹脂製の荷重支持部材３２３にスペーサー６２を介して支持されている。
【００１６】
室外側取付補助材３２２は、新設下枠２２の室外側の荷重を支持する支持部３２２ａ及び新設下枠２２の室外側端部の浮き上がりを防止する浮き上がり防止部３２２ｂを有し、既設下枠１２の室外側において既設下枠１２の長手方向に亘って配置されている。そして、支持部３２２ａがスペーサー６３を介して既設下枠１２に載置された状態で既設下枠１２の前壁部にビス等の固定手段ｂ４により固定されている。
【００１７】
新設下枠２２は、既設下枠１２よりも見込寸法が大きく形成されており、見込み方向の室内側が室内側取付補助材３２１の支持部３２１ａに支持され、室外側が室外側取付補助材３２２の支持部３２２ａに支持されており、ビス等の固定手段ｂ５により室内側取付補助材３２１の支持部３２１ａに固定されている。
また、新設下枠２２は、室外側下端に室内側に屈曲して延びる浮き上がり防止片２２ａが形成されており、新設下枠２２を既設下枠１２に装着した状態で浮き上がり防止片２２ａが室外側取付補助材３２２の浮き上がり防止部３２２ｂの下方に位置している。
【００１８】
新設下枠２２の室内側から既設下枠１２の室内側を覆うように防水シートが設けられており、防水シートを覆うようにアルミニウム合金等の金属製の内部カバー７２が配置されている。
【００１９】
（竪枠部分の構成）
本実施形態の改修建具においては、左竪枠部分と右竪枠部分の主たる構成はほとんど同様であるので、竪枠部分についての説明を左竪枠部分を用いて行い、右竪枠部分については説明を省略する。
【００２０】
既設左竪枠１３に固定される左取付補助材３３は、見込寸法が新設左竪枠２３の見込寸法よりも小さく（短く）新設左竪枠２３の長手方向に延びる長尺部材からなり、既設左竪枠１３に固定される固定部３３ａと新設左竪枠２３を固定する室内側取付部３３ｂ，室外側取付部３３ｃを有している。
そして、左取付補助材３３は、固定部３３ａが既設左竪枠１３の内周面に当接されてビス等の固定手段ｂ６により既設左竪枠１３に固定されている。
【００２１】
新設左竪枠２３は、既設左竪枠１３よりも見込寸法が大きく形成されており、見込み方向の室内側位置と略中央付近において、スペーサー６４を介してビス等の固定手段ｂ７により左取付補助材３３の室内側取付部３３ｂ，室外側取付部３３ｃに固定されている。
【００２２】
新設左竪枠２３は、室外側外周に気密材を有しており、左取付補助材３３を介して既設左竪枠１３に固定された新設左竪枠２３の気密材が既設左竪枠１３の室外側内周に当接して、既設左竪枠１３と新設左竪枠２３との室外側における気密を行っている。
また、新設左竪枠２３の室内側及び既設左竪枠１３の室内側を覆うように、アルミニウム合金等の金属製の内部カバー７３が配置されている。
【００２３】
（第１の実施形態）
以上のように、本実施形態の改修建具は、上枠部分及び左右の竪枠部分において、既設上枠１１及び既設竪枠１３（１４）に固定された比較的見込み方向に小さい寸法の各取付補助材３１，３３（３４）に対して、新設上枠２１、新設竪枠２３（２４）が室内側と中央位置の２箇所でビス止め固定されているので、既設枠１の経年変形による誤差に対応することができ、耐風圧性を高めることができる。
以下、本実施形態の改修建具の上枠部分及び竪枠部分について、さらに詳細に説明する。
【００２４】
既設上枠１１に固定される上取付補助材３１は、図３に示すように、既設上枠１１の室内側壁１１ａから既設上枠１１の室外側上レール１１ｃに至る見込み寸法を有しており、見込み方向の中央付近が外周側に凹むように形成された固定部３１ａと、固定部３１ａの室内側に連続する平板状の室内側取付部３１ｂと、固定部３１ａの室外側に連続する室外側取付部３１ｃを備えている。
【００２５】
そして、上取付補助材３１は、平板状の室内側取付部３１ｂ及び室外側取付部３１ｃが水平となるように外周側面を既設上枠１１の室内側壁１１ａ、室内側上レール１１ｂ、室外側上レール１１ｃ等の部材に当接させた状態で、固定部３１ａの底部において既設上枠１１に対してビス等の固定手段ｂ１により、ネジ止め固定されている。
【００２６】
なお、上取付補助材３１は、既設上枠１１の室内側壁１１ａ、室内側上レール１１ｂ、室外側上レール１１ｃの全ての部材に当接する必要はなく、また、いずれかの部材を切除したり長さを調節したりするなど、当接した室内側取付部３１ｂ及び室外側取付部３１ｃが水平となるように加工してもよい。
【００２７】
一方、新設上枠２１は、既設上枠１１よりも見込寸法が大きく形成されており、既設上枠１１の内周を覆う見込み壁部２１ａと、見込み壁部２１ａの室内側から下方に延設される室内側壁部２１ｂと、見込み壁部２１ａの見込み方向中央付近から下方に延設される中央壁部２１ｃと、見込み壁部２１ａの室外側端から下方に延設される室外側壁部２１ｄと、中央壁部２１ｃと室外側壁部２１ｄとの間から下方に延設される上外レール２１ｅとを有している。
【００２８】
新設上枠２１は、見込み方向で室内側の部位、具体的には見込み壁部２１ａの室内側壁部２１ｂより室内側の部位が室内側固定部２１ｆとして形成されており、見込み方向で中央付近の部位、具体的には室内側壁部２１ｂと中央壁部２１ｃとの間の部位が上取付補助材３１に対する中央固定部２１ｇとして形成されている。室内側固定部２１ｆ及び中央固定部２１ｇの外周面には、長さ方向に延びる複数のリブ２１ｈ、２１ｈが形成されている。
【００２９】
また、新設上枠２１は、室内側固定部２１ｆの内周に、内部カバー７１を係合する被係合部２１ｉが形成されている。
内部カバー７１は、新設上枠２１の室内側壁部２１ｂより室内側及び既設上枠１１の室内側、すなわち新設上枠２１の室内側の固定部分を覆うカバー部７１ａと、新設上枠２１の被係合部２１ｉに係合する係合部７１ｂを有し、カバー部７１ａの室内側上端には、躯体開口部に当接して新設上枠２１の室内側を気密する気密材ｓが設けられている。
【００３０】
さらに、新設上枠２１の見込み壁部２１ａの室外側外周には、気密材取付部が形成されており、気密材取付部に取付けられた気密材ｓが既設上枠１１の室外側部分に当接して新設上枠２１と既設上枠１１の室外側を気密している。
【００３１】
（第２の実施形態）
既設左竪枠１３に固定される左取付補助材３３は、上取付補助材３１とほぼ同程度の見込み寸法を有しており、見込み方向の中央付近が外周側に凹むように形成された固定部３３ａと、固定部３３ａの室内側に連続する平板状の室内側取付部３３ｂと、固定部３３ａの室外側に連続する室外側取付部３３ｃを備えている。
【００３２】
そして、左取付補助材３３は、平板状の室内側取付部３３ｂ及び室外側取付部３３ｃが内周に向く垂直面となるように固定部３３ａの底部において既設左竪枠１３の内周面に対してビス等の固定手段ｂ６により、ネジ止め固定されている。
【００３３】
一方、新設左竪枠２３は、既設左竪枠１３よりも見込寸法が大きく形成されており、既設左竪枠１３の内周を覆う見込み壁部２３ａと、見込み壁部２３ａの室内側から内周方向に延設される室内側壁部２３ｂと、見込み壁部２３ａの見込み方向中央付近から内周方向に延設される中央壁部２３ｃと、見込み壁部２３ａの室外側端から内周方向に延設される室外側壁部２３ｄを有している。
【００３４】
新設左竪枠２３は、見込み方向で室内側の部位、具体的には見込み壁部２３ａの室内側壁部２３ｂより室内側の部位が室内側固定部２３ｆとして形成されており、見込み方向で中央付近の部位、具体的には室内側壁部２３ｂと中央壁部２３ｃとの間の部位が左取付補助材３３に対する中央固定部２３ｇとして形成されている。室内側固定部２３ｆ及び中央固定部２３ｇの外周面には、長さ方向に延びる複数のリブ２３ｈ、２３ｈが形成されている。
【００３５】
また、新設左竪枠２３は、室内側固定部２３ｆの内周に、内部カバー７３を係合する被係合部２３ｉが形成されている。
内部カバー７３は、新設左竪枠２３の室内側壁部２３ｂより室内側及び既設左竪枠１３の室内側、すなわち新設左竪枠２３の室内側の固定部分を覆うカバー部７３ａと、新設左竪枠２３の被係合部２３ｉに係合する係合部７３ｂを有し、カバー部７３ａの室内側外周端には、躯体開口部に当接して新設左竪枠２３の室内側を気密する気密材ｓが設けられている。
【００３６】
新設左竪枠２３の見込み壁部２３ａの室外側外周には、気密材取付部が形成されており、気密材取付部に取付けられた気密材ｓが既設左竪枠１３の室外側部分に当接して新設左竪枠２３と既設左竪枠１３の室外側を気密している。
【００３７】
（新設枠の既設枠への装着）
新設枠２を既設枠１に装着する際には、まず、新設上枠２１、新設下枠２２及び左右の新設竪枠２３，２４を四周組してなる新設枠２が、既設枠１の内周に配置され、既設下枠１２に固定された下取付補助材３２に支持される。
【００３８】
そして、新設上枠２１と既設上枠１１に固定された上取付補助材３１との間にスペーサー６１が配置されると共に、新設左（右）竪枠２３（２４）と既設左（右）竪枠１３（１４）に固定された左（右）取付補助材３３（３４）との間にスペーサー６４（６５）が配置される。
【００３９】
上枠部分のスペーサー６１は、新設上枠２１の複数のリブ２１ｈ，２１ｈと上取付補助材３１の室内側取付部３１ｂ及び室外側取付部３１ｃとの間に配置され、新設上枠２１は、室内側固定部２１ｆ及び中央固定部２１ｇにおいて、下方からビス等の固定手段ｂ２により室内側取付部３１ｂ及び室外側取付部３１ｃに固定される。
【００４０】
既設上枠１１に固定された新設上枠２１の室内側には、内部カバー７１が配置される。
内部カバー７１は、新設上枠２１の被係合部２１ｉに内部カバー７１の係合部７１ｂを係合させることで新設上枠２１に取付けられ、新設上枠２１の室内側固定部２１ｆと上取付補助材３１の室内側取付部３１ｂとの固定部分を覆うように配置される。
【００４１】
また、左竪枠部分のスペーサー６４は、新設左竪枠２３の複数のリブ２３ｈ，２３ｈと左取付補助材３３の室内側取付部３３ｂ及び室外側取付部３３ｃとの間に配置され、新設左竪枠２３は、室内側固定部２３ｆ及び中央固定部２３ｇにおいて、内周側からビス等の固定手段ｂ７により室内側取付部３３ｂ及び室外側取付部３３ｃに固定される。
【００４２】
既設左竪枠１３に固定された新設左竪枠２３の室内側には、内部カバー７３が配置される。
内部カバー７３は、新設左竪枠２３の被係合部２３ｉに内部カバー７３の係合部７３ｂを係合させることで新設左竪枠２３に取付けられ、新設左竪枠２３の室内側固定部２３ｆと左取付補助材３３の室内側取付部３３ｂとの固定部分を覆うように配置される。
【００４３】
以上のように、本実施形態の改修建具によれば、新設する上枠もしくは左右の竪枠を既設上枠もしくは左右の既設竪枠に固定するための取付補助材３１，３３，３４が、見込み方向に比較的小さく形成され、新設上枠２１もしくは左右の新設竪枠２３，２４の中央付近の位置と室内側位置において、既設の上枠、下枠及び左右の竪枠に固定されている。
【００４４】
すなわち、取付補助材は既設枠の室内側に固定されるので、経年変形の起こりやすい既設枠の室外側の影響を受けることなく、取付補助材を水平に配置することが容易となり、新設枠を正確に固定することができる。
また、新設枠は、見込み方向室内側と見込み方向中央付近の２点において取付補助材に固定されることで、耐風圧性能を向上させることができる。
【００４５】
さらに、新設枠を取付補助材に固定する室内側の固定部分を、内部カバーによって覆うことによって、意匠性にすぐれた改修建具を形成することができる。
【００４６】
なお、以上の実施形態は，請求項に記載された発明を限定するものではなく，例示として取り扱われることは言うまでもない。
例えば、新設竪枠２３，２４の取付補助材３３，３４への固定は、室内側固定部に対する一つのビス止め固定によって行ってもよいし、さらに言えば、新設竪枠２３，２４の固定は、本実施形態の取付補助材を用いることなく行ってもよい。
【００４７】
また、既設上枠１１もしくは既設竪枠１３，１４に固定される取付補助材は、新設枠の長手方全長に亘る長尺部材ではなく、短尺の部材により形成してもよい。
また、新設枠及び既設枠の室内側を覆う各内部カバーは、金属製に限定されるものではなく、樹脂材料によって形成されてもよいし、既設下枠に配置される室内側取付補助材を支持する荷重支持部材は、樹脂製に限定されるものではなく、金属材料によって形成されてもよい。
さらに、改修される既設枠及び新設建具は、引違い建具に限定されるものではなく、開き建具やすべり出し建具等、建具の種類は何ら限定されるものではない。
【符号の説明】
【００４８】
１        ：既設枠
２        ：新設枠
３        ：取付補助材
１１      ：既設上枠
２１      ：新設上枠
２１ｆ    ：室内側固定部
２１ｇ    ：中央固定部
３１      ：上取付補助材
３１ａ    ：固定部
３１ｂ    ：室内側取付部
３１ｃ    ：室外側取付部
６１      ：スペーサー
７１      ：内部カバー
【図１】
2019203335.tif 000003
【図２】
2019203335.tif 000004
【図３】
2019203335.tif 000005
【図４】
2019203335.tif 000006